(57)【要約】【課題】製造上の誤差によるクラッチ伝達トルク特性のバラツキの影響に左右されることなく、クラッチ伝達トルクを制御可能としたクラッチ制御装置を提供する。【解決手段】多板クラッチに対する押圧操作を介して伝達されるトルクを付与するアクチュエータの回転位置から、多板クラッチの伝達トルクを推定する手段５４を有しており、伝達トルクの推定値と目標値の偏差に応じて推定値を目標値に一致させるべくアクチュエータの正逆回転駆動を制御する。【選択図】図３
2011089610.tif 000002
【特許請求の範囲】
【請求項１】
動力伝達軸上に設けられた多板クラッチと、
前記多板クラッチに対する押圧操作を介して伝達されるトルクを付与するアクチュエータと、
前記アクチュエータの回転位置を検出するセンサと、
前記センサの前記アクチュエータ回転位置から、前記多板クラッチに伝達されるトルクを推定する手段と、
前記推定手段により求めたトルク推定値とトルク目標値の偏差に応じて、前記トルク推定値を前記トルク目標値に一致させるべく前記アクチュエータの正逆回転駆動を制御する手段とを備えてなることを特徴とするクラッチ制御装置。
【請求項２】
前記アクチュエータ回転位置と前記多板クラッチ伝達トルクとの関係を示す特性曲線から、前記多板クラッチ伝達トルクを推定することを特徴とする請求項１記載のクラッチ制御装置。
【請求項３】
多板クラッチ最大トルク相当の前記アクチュエータ回転位置を越えないように制限する手段を有してなることを特徴とする請求項１又は２記載のクラッチ制御装置。
【請求項４】
多板クラッチ最小トルク相当の前記アクチュエータ回転位置を越えて戻らないように制限する手段を有してなることを特徴とする請求項１又は２記載のクラッチ制御装置。
【請求項５】
多板クラッチ伝達トルク相当の前記アクチュエータ回転位置を基準位置として求め、得られた前記基準位置を前記アクチュエータ回転位置と前記多板クラッチ伝達トルクとの関係を示す特性曲線上の制御基準位置とすることを特徴とする請求項１又は２記載のクラッチ制御装置。
【請求項６】
多板クラッチ最小トルク相当の前記アクチュエータ回転位置と多板クラッチ最大トルク相当の前記アクチュエータ回転位置とを求め、得られた前記アクチュエータ回転位置を前記アクチュエータ回転位置と前記多板クラッチ伝達トルクとの関係を示す特性曲線上にあてはめることで、多板クラッチ最小トルク位置及び多板クラッチ最大トルク位置とすることを特徴とする請求項１又は２記載のクラッチ制御装置。
【請求項７】
前記多板クラッチを押し付けないフリー位置からトルク伝達領域に向けて一定電圧により前記アクチュエータを駆動し、所定以上の減速度が発生した位置を多板クラッチ最小トルク位置とすることを特徴とする請求項４〜６のいずれかに記載のクラッチ制御装置。
【請求項８】
多板クラッチ最小トルク相当の前記アクチュエータ回転位置からトルク伝達領域に向けて最大トルク相当の電流により前記アクチュエータを駆動し、当該アクチュエータが静止した位置を多板クラッチ最大トルク位置とすることを特徴とする請求項４〜６のいずれかに記載のクラッチ制御装置。
【請求項９】
前記アクチュエータに流れる電流に対して低周波のディザー信号を加えることを特徴とする請求項８記載のクラッチ制御装置。
【請求項１０】
前記アクチュエータに流す電流と当該電流に対する誘起トルクを計測し、その計測により得られたバラツキを所定範囲に層別使用するための層別区分に従い選別し、その選別した層別ランクを識別する手段を有するとともに、前記層別ランクを認識させる手段を有してなることを特徴とする請求項１〜９のいずれかに記載のクラッチ制御装置。
【請求項１１】
前記アクチュエータの正逆回転駆動を制御する手段に所定の電流を流し、そのときの電流検出信号を所定の電流であると認識させる手段を有してなることを特徴とする請求項１〜９のいずれかに記載のクラッチ制御装置。
【請求項１２】
前記アクチュエータの正逆回転駆動を制御する手段により前記アクチュエータに電流を流したときの前記アクチュエータの発生トルクを計測し、そのときの電流検出信号を前記アクチュエータの発生トルクに相当する電流であると認識させる手段を有してなり、
前記アクチュエータ及び前記アクチュエータの正逆回転駆動を制御する手段を一組として使用することを特徴とする請求項１〜９のいずれかに記載のクラッチ制御装置。
【発明の詳細な説明】
【技術分野】
【０００１】
本発明は、例えば第１伝達部材と第２伝達部材との間の伝達トルクを制御するクラッチ制御装置に関するものである。
【背景技術】
【０００２】
従来、４輪駆動車両の動力伝達機構の一例としては、例えばエンジンの駆動力が伝達される入力軸と、入力軸の駆動力を後輪へ伝達する第１出力軸と、第１出力軸の駆動力を前輪へ伝達する第２出力軸と、この第１出力軸と第２出力軸とのトルク配分比を調整する摩擦クラッチとを備えた動力伝達機構がある（例えば、特許文献１参照）。
【０００３】
上記特許文献１に記載された従来の動力伝達機構には、モータ及び減速機の回転変位を軸方向変位に変換する変換機構を介して第１出力軸の軸方向に移動する押圧板が設けられている。この押圧板の押圧操作により摩擦クラッチの伝達トルクが制御される構成となっている。
【０００４】
この従来の動力伝達機構では、モータ回転位置と摩擦クラッチ伝達トルクとの関係が予め決められた特性曲線に基づいて、摩擦クラッチにより伝達すべきトルクから、モータの回転位置が求められる。その回転位置に相当する信号をモータへ出力することでモータが駆動制御される構成となっている。
【先行技術文献】
【特許文献】
【０００５】
【特許文献１】特表２００５−５２７７４１号公報
【発明の概要】
【発明が解決しようとする課題】
【０００６】
しかしながら、上記従来の動力伝達機構のような構造においては、製造される動力伝達機構の製品個体毎に、寸法誤差や組付誤差等による製造バラツキがあるため、モータ回転位置と摩擦クラッチ伝達トルクの特性に差が生じてしまう。摩擦クラッチに加える伝達トルクを高い精度をもって制御するためには製品個体毎のバラツキを小さく抑えることが必要であり、精度の高い厳格な加工精度や組立精度を必要とし、それと相まって製造コストが高騰するという問題点があった。
【０００７】
上記従来の動力伝達機構は、電源投入時毎に、モータ回転位置と摩擦クラッチ伝達トルクの特性に基づいて摩擦クラッチ伝達トルクのほぼゼロ位置に相当するモータ回転位置が検出され、そのモータ回転位置を制御原点位置としてモータに対する駆動制御量を制御するようになっている。この制御原点位置の検出誤差の影響やモータ回転位置と摩擦クラッチ伝達トルクとの関係を示す特性曲線のバラツキの影響により、特性曲線上において高トルク領域側になればなる程、大きなトルク誤差となって現れる。
【０００８】
このような従来の動力伝達機構を四輪駆動車の前後駆動力配分に適用した場合は、高トルク時において摩擦クラッチ伝達トルクのバラツキが大きくなり、必要以上の大きな伝達トルクが摩擦クラッチに作用することになる。これにより、駆動伝達系全体の剛性や強度を大きくして設計しなければならなくなり、大型化することに相まって重量が嵩むばかりでなく、製造コストが高騰するという問題点があった。
【０００９】
本発明は、上記従来の課題を解消すべくなされたものであり、その具体的な目的は、製造上の誤差によるクラッチ伝達トルク特性のバラツキの影響に左右されることなく、クラッチ伝達トルクを制御可能としたクラッチ制御装置を提供することにある。
【課題を解決するための手段】
【００１０】
［１］本発明は、上記目的を達成するため、動力伝達軸上に設けられた多板クラッチと、前記多板クラッチに対する押圧操作を介して伝達されるトルクを付与するアクチュエータと、前記アクチュエータの回転位置を検出するセンサと、前記センサの前記アクチュエータ回転位置から、前記多板クラッチに伝達されるトルクを推定する手段と、前記推定手段により求めたトルク推定値とトルク目標値の偏差に応じて、前記トルク推定値を前記トルク目標値に一致させるべく前記アクチュエータの正逆回転駆動を制御する手段とを備えてなることを特徴とするクラッチ制御装置を提供する。
［２］上記［１］記載の発明にあって、前記アクチュエータ回転位置と前記多板クラッチ伝達トルクとの関係を示す特性曲線から、前記多板クラッチ伝達トルクを推定することを特徴としている。
［３］上記［１］又は［２］記載の発明にあって、多板クラッチ最大トルク相当の前記アクチュエータ回転位置を越えないように制限する手段を有してなることを特徴としている。
［４］上記［１］又は［２］記載の発明にあって、多板クラッチ最小トルク相当の前記アクチュエータ回転位置を越えて戻らないように制限する手段を有してなることを特徴としている。
［５］上記［１］又は［２］記載の発明にあって、多板クラッチ伝達トルク相当の前記アクチュエータ回転位置を基準位置として求め、得られた前記基準位置を前記アクチュエータ回転位置と前記多板クラッチ伝達トルクとの関係を示す特性曲線上の制御基準位置とすることを特徴としている。
［６］上記［１］又は［２］記載の発明にあって、多板クラッチ最小トルク相当の前記アクチュエータ回転位置と多板クラッチ最大トルク相当の前記アクチュエータ回転位置とを求め、得られた前記アクチュエータ回転位置を前記アクチュエータ回転位置と前記多板クラッチ伝達トルクとの関係を示す特性曲線上にあてはめることで、多板クラッチ最小トルク位置及び多板クラッチ最大トルク位置とすることを特徴としている。
［７］上記［４］〜［６］のいずれかに記載の発明にあって、前記多板クラッチを押し付けないフリー位置からトルク伝達領域に向けて一定電圧により前記アクチュエータを駆動し、所定以上の減速度が発生した位置を多板クラッチ最小トルク位置とすることを特徴としている。
［８］上記［４］〜［６］のいずれかに記載の発明にあって、多板クラッチ最小トルク相当の前記アクチュエータ回転位置からトルク伝達領域に向けて最大トルク相当の電流により前記アクチュエータを駆動し、当該アクチュエータが静止した位置を多板クラッチ最大トルク位置とすることを特徴としている。
［９］上記［８］記載の発明にあって、前記アクチュエータに流れる電流に対して低周波のディザー信号を加えることを特徴としている。
［１０］上記［１］〜［９］のいずれかに記載の発明にあって、前記アクチュエータに流す電流と当該電流に対する誘起トルクを計測し、その計測により得られたバラツキを所定範囲に層別使用するための層別区分に従い選別し、その選別した層別ランクを識別する手段を有するとともに、前記層別ランクを認識させる手段を有してなることを特徴としている。
［１１］上記［１］〜［９］のいずれかに記載の発明にあって、前記アクチュエータの正逆回転駆動を制御する手段に所定の電流を流し、そのときの電流検出信号を所定の電流であると認識させる手段を有してなることを特徴としている。
［１２］上記［１］〜［９］のいずれかに記載の発明にあって、前記アクチュエータの正逆回転駆動を制御する手段により前記アクチュエータに電流を流したときの前記アクチュエータの発生トルクを計測し、そのときの電流検出信号を前記アクチュエータの発生トルクに相当する電流であると認識させる手段を有してなり、前記アクチュエータ及び前記アクチュエータの正逆回転駆動を制御する手段を一組として使用することを特徴としている。
【発明の効果】
【００１１】
本発明によれば、クラッチ伝達トルク特性のバラツキの影響を無視できるようになり、クラッチ伝達トルクを高い精度をもって効率的に制御することが可能となる。
【図面の簡単な説明】
【００１２】
【図１】本発明の代表的な実施の形態である四輪駆動車の動力伝達系を簡略的に示す説明図である。
【図２】トランスファの内部構造を模式的に示す一部断面図である。
【図３】トランスファの制御系を示すブロック図である。
【図４】（ａ）及び（ｂ）は、モータ回転位置とクラッチ伝達トルクとの関係を示す曲線にモータ制御基準点をあてはめた状態を示す図である。
【図５】（ａ）は、図４（ｂ）に示す特性曲線に最小トルク相当のモータ回転位置を検出する一例を説明するための図であり、（ｂ）は、最大トルク相当のモータ回転位置を検出する一例を説明するための図である。
【図６】モータ回転位置とクラッチ伝達トルクとの関係を示す図である。
【図７】モータ駆動制御装置の一例を示す図である。
【発明を実施するための形態】
【００１３】
以下、本発明の好適な実施の形態を添付図面に基づいて具体的に説明する。
【００１４】
（車両の動力伝達系の全体構成）
図１において、全体を示す符号１は、ＦＲ（フロントエンジン・リヤドライブ）タイプの四輪駆動車の全体構成を模式的に示している。この四輪駆動車１は、エンジン２と、変速動作を行うトランスミッション３と、エンジン２の駆動力がトランスミッション３を介して伝達されるセンタードライブシャフト４と、センタードライブシャフト４の駆動力が入力されるトランスファ５と、トランスファ５によりエンジン２の駆動力が所定の配分比で出力されるフロントドライブシャフト６及びリヤドライブシャフト７とを備えている。フロントドライブシャフト６の駆動力は、フロントデファレンシャル８を介して左右一対の前輪９，９に伝達される。リヤドライブシャフト７の駆動力は、リヤデファレンシャル１０を介して左右一対の後輪１１，１１に伝達される。
【００１５】
トランスファ５は、図１及び図２に示すように、センタードライブシャフト４と一体に回転する図示しない入力軸と、フロントドライブシャフト６に接続される同じく図示を省略した前輪用出力軸と、リヤドライブシャフト７に接続される後輪用出力軸１２とを備えている。後輪用出力軸１２は、ボールベアリング１４を介してケース１３に回転自在に支持されている。入力軸と前輪用出力軸のそれぞれは、後輪用出力軸１２と同様に、図示しないボールベアリングを介してケース１３に回転自在に支持されている。
【００１６】
入力軸は後輪用出力軸１２と同一軸上に配されており、入力軸の駆動力は図示しない副変速機を介して後輪用出力軸１２に伝達されるようになっている。後輪用出力軸１２の入力側には、後輪用出力軸１２に対して回転自在なスプロケット１５が設けられている。一方、前輪用出力軸は、後輪用出力軸１２と平行に配されている。前輪用出力軸の外周に固定された図示しないスプロケットと後輪用出力軸１２のスプロケット１５にはチェーンベルト１６が巻回されている。後輪用出力軸１２からスプロケット１５に駆動力が伝達されると、チェーンベルト１６を介して前輪用出力軸が回転駆動するようになっている。
【００１７】
（トランスファの構成）
トランスファ５のケース１３内には、図２に示すように、トルク配分クラッチとして機能するクラッチ機構１８が設けられている。図示例によるクラッチ機構１８は、後輪用出力軸１２と前輪用出力軸とを断続するための多板式の摩擦クラッチ１９と、摩擦クラッチ１９の押圧及び開放を行うクラッチ押付部材２０と、モータ２５の回転運動を直線運動に変換する運動変換機構１７とを備えている。これらの構成部材により前後輪間の駆動力配分比が制御される。
【００１８】
摩擦クラッチ１９は、図２に示すように、トルク伝達を行う多数枚のクラッチプレートを有している。このクラッチプレートは、スプロケット１５に固定されたクラッチドラム２１と、後輪用出力軸１２の外周に固定されたクラッチハブ２２との間に形成された第１環状空間内に軸方向移動自在に支持されている。クラッチ押付部材２０は、摩擦クラッチ１９の締結力を調整する。クラッチ押付部材２０は、クラッチドラム２１とクラッチハブ２２との間の第２環状空間内に設けられたリターンスプリング２３により摩擦クラッチ１９の開放方向に付勢されており、アクチュエータ２４の駆動により軸方向へ移動されるようになっている。アクチュエータ２４は、モータ２５と、モータ２５の出力を減速する減速機２６とを備えている。減速機２６はケース１３に固定されるとともに、モータ２５は図示しないブラケットを介してケース１３に固定されている。
【００１９】
運動変換機構１７は、図２に示すように、摩擦クラッチ１９のクラッチ締結力を無段階に調整するボールカムからなる。このボールカムは、駆動側の第１カムプレート２８、反力側の第２カムプレート２９、及びボール３０を有する。第１カムプレート２８は、クラッチ押付部材２０にスラスト軸受３１を介して配されており、後輪用出力軸１２の外周まわりに回転自在に支持されている。第１カムプレート２８の先端は、減速機２６の出力軸２６ａに接続されたピニオンギヤ２７と噛み合わされている。一方の第２カムプレート２９は、固定部材３２にスラスト軸受３３を介して配されており、後輪用出力軸１２の外周に回転自在に支持されている。これらのカムプレート２８，２９が互いに対向するカム面には、その回転中心を中心とする同一円周上に所定の位相差をもって傾斜溝状をなす複数のボールカム溝２８ａ，２９ａがそれぞれ形成されている。ボールカム溝２８ａ，２９ａ内にはボール３０が回動自在に挟持されている。
【００２０】
摩擦クラッチ１９を締結する場合は、第１カムプレート２８の先端が減速機２６のピニオンギヤ２７を介して回転駆動することで、第１カムプレート２８が第２カムプレート２９に対して回転駆動される。第１カムプレート２８が回転駆動すると、第１カムプレート２８は、ボールカム溝２８ａ，２９ａ内のボール３０による押圧を受けながら、後輪出力軸１２の軸方向に移動する。第１カムプレート２８が軸方向に移動すると、クラッチ押付部材２０は、後輪出力軸１２の軸方向に押されて摩擦クラッチ１９を押す。一方、摩擦クラッチ１９の締結を解除する場合は、減速機２６のピニオンギヤ２７が逆方向に回転駆動することで、上記操作とは逆の操作を行うことになる。これにより、クラッチ押付部材２０は上記操作とは逆の軸方向へ移動する。
【００２１】
（クラッチ制御装置の構成）
以上のように構成された実施の形態に係るトランスファ５、運動変換機構１７、及びクラッチ機構１８等の構成部分は、従来周知の構成と変わるところはない。従って、この実施の形態は、これらの構成に限定されるものではない。この実施の形態は、摩擦クラッチ１９の荷重を検出する荷重センサを排除してクラッチ伝達トルクを制御する構成に特徴部を有している。
【００２２】
本発明に係るクラッチ制御機構にあっては図示例に特定されるものではないが、以下、図３〜図７を参照しながら、エンジン２から前後輪９，１１の間に伝達される駆動力配分比を制御するクラッチ制御機構を有する４輪駆動車において、クラッチ伝達トルクを制御する一構成例について説明する。
【００２３】
トランスファ５によるフロントドライブシャフト６及びリヤドライブシャフト７への駆動力配分比は、ＥＣＵ（Electronic Control Unit）４０により決定される。このＥＣＵ４０は、図３に示すように、ステアリングの舵角を検出する舵角センサ４１、乗員により操作される操作スイッチ４２、車両の速度を検出する車速センサ４３、車両の横方向加速度を検出する加速度センサ４４、前輪９の回転数を検出する前輪回転センサ４５、後輪１１の回転数を検出する後輪回転センサ４６、エンジン２におけるスロットル開度を検出するスロットルセンサ４７、エンジン２の回転数を検出するエンジン回転センサ４８等の各種のセンサに電気的に接続されている。
【００２４】
このＥＣＵ４０は、図３に示すように、モード入力部５０と、車両状態入力部５１と、目標トルク演算部５２とを有している。モード入力部５０には、操作スイッチ４２からの信号が入力される。車両状態入力部５１には、各種のセンサ４１，４３〜４８等からの信号が入力される。目標トルク演算部５２は、モード入力部５０及び車両状態入力部５１に入力された信号に基づいてフロントドライブシャフト６及びリヤドライブシャフト７に要求されるトルク（以下、目標トルクという。）を演算する。
【００２５】
ＥＣＵ４０は、図１及び図３に示すように、操作スイッチ４２に入力されたモードに従ってトランスファ５の制御を行う。このモードの一例としては、例えば２ＷＤモード、４ＷＤオートモード、及び４ＷＤロックモードの３つのモードが挙げられる。操作スイッチ４２により２ＷＤモードが選択されると、リヤドライブシャフト７に全ての駆動力が伝達され、フロントドライブシャフト６には駆動力が伝達されないようにＥＣＵ４０がトランスファ５を制御する。操作スイッチ４２により４ＷＤロックモードが選択されると、フロントドライブシャフト６とリヤドライブシャフト７とには５０：５０の割合で駆動力が伝達されるようにＥＣＵ４０がトランスファ５を制御する。操作スイッチ４２により４ＷＤオートモードが選択されると、舵角センサ４１、車速センサ４３、加速度センサ４４、前輪回転センサ４５、後輪回転センサ４６、スロットルセンサ４７やエンジン回転センサ４８等の車両の状態に応じて、フロントドライブシャフト６及びリヤドライブシャフト７へ伝達される駆動力の配分を調整するようにＥＣＵ４０がトランスファ５を制御する。
【００２６】
アクチュエータ２４のモータ２５は、図３に示すように、ＥＣＵ４０からの信号に基づいて制御される。モータ２５の出力軸には、回転方向、回転位置（回転角）や回転速度（回転数）等を検出する回転位置センサであるパルスセンサ４９が設けられている。パルスセンサ４９の一例としては、例えば光学式ロータリエンコーダ、あるいは磁気式ロータリエンコーダ等が使用される。
【００２７】
ＥＣＵ４０は更に、図３に示すように、変位入力部５３と、推定トルク演算部５４と、加減算部５５と、ＰＩＤ（Proportional Integral Differential）制御部５６と、電流出力部５７とを有している。変位入力部５３は、パルスセンサ４９からの検出信号をデジタル処理変換する。推定トルク演算部５４は、変位入力部５３からの位置情報に基づいてフロントドライブシャフト６及びリヤドライブシャフト７に配分されると推定されるトルク（以下、推定トルクという。）を推定計算する。加減算部５５は、目標トルク演算部５２の目標トルク及び推定トルク演算部５４の推定トルクの偏差を求める。ＰＩＤ制御部５６は、加減算部５５からの偏差を表す値に基づいて推定トルクが目標トルクに一致するように制御する。電流出力部５７は、ＰＩＤ制御部５６からの駆動パルス信号（デューティ信号）をモータ駆動回路に供給してモータ２５を駆動する。
【００２８】
ＥＣＵ４０の記憶部５８には、図４に示すように、３つの各モードにおいてモータ回転位置と推定トルクとを関連付けたトルクマップが記憶されている。このトルクマップには、図６に示すように、モータ回転位置と推定トルクとの関数として形成される特性曲線（以下、推定トルク特性曲線という。）が記憶されている。
【００２９】
この推定トルク特性曲線上において、モータ回転位置は、摩擦クラッチ１９の現在のトルクを推定する手段として用いられるものであり、モータ回転位置を制御対象とするものではないことは留意すべきことである。この推定トルクは、推定トルク特性曲線においてモータ回転位置の関数として決定されるものである。
【００３０】
（推定トルク特性曲線の基準位置設定）
この推定トルク特性曲線は、例えばトランスファ５、運動変換機構１７、及びクラッチ機構１８等の複数の製品検査時において、これらの寸法バラツキ、これら各部品の組み付け状態における部品相互間の寸法バラツキ等の製品バラツキの補正を行うことで得られるものである。その補正手段の一例としては、図４（ａ）及び（ｂ）に示すように、例えば複数の製品個体毎に、摩擦クラッチ１９の伝達トルクが最小となるモータ回転位置を０％位置とし、摩擦クラッチ１９の伝達トルクが最大となるモータ回転位置を１００％位置として摩擦クラッチ伝達トルクとモータ回転位置との相関を定法に従って求めることで、破線でプロットしたバラツキ曲線の中央値（平均値）を通る実線でプロットした平均曲線を取得する。その平均曲線の最小位置ａ１と最大位置ｂ１とを基準点として、設計上の基準特性曲線にあてはめることで、図４（ｂ）に示すような相似形の仮想のトルク特性曲線が得られる。
【００３１】
最小位置ａ１の設定手段の一例としては、図５（ａ）に示すように、例えば一定電圧により２ＷＤ位置から４ＷＤ位置領域に向けて摩擦クラッチ１９に当接する位置ａ２までモータ２５を回転駆動させると、摩擦クラッチ１９に当接した位置でモータ２５にブレーキがかかり、モータ２５が減速する。この摩擦クラッチ当接位置ａ２を最小トルク相当の位置ａ２として検出する。好ましくは、モータ２５の減速度が所定の閾値αを超えた位置を最小トルク相当位置ａ２とすることが好適である。最小トルク相当位置ａ２が検出されたときに、トルク特性曲線上において最小トルク位置が決定される。
【００３２】
最大位置ｂ１の設定手段の一例としては、図５（ｂ）に示すように、徐々に電流を増加させることにより２ＷＤ位置から４ＷＤ位置領域に向けてモータ２５を回転駆動させ、最終的にはモータ電流を最大トルク相当の一定電流に変化させると、モータ２５は最大トルク相当の位置ｂ２に停止する。この最大トルク相当位置ｂ２が検出されたときに、トルク特性曲線上において最大トルク位置が入力される。
【００３３】
得られた仮想のトルク特性曲線を用いて最小トルク位置及び最大トルク位置を設定するとき、ＥＣＵ４０の加減算部５５にディザー信号を入力させることでモータ電流に対して低周波のディザー信号を印加・重畳させる。これにより、モータ２５の電流値とクラッチ伝達トルクとの関係に大きなヒステリシスが生じない。また、減速機２６等のスティックスリップを防止し、モータ２５の応答を高めることでモータ停止精度を向上させることができる。
【００３４】
以上より、モータ回転位置と推定トルクとの関数である推定トルク特性曲線をクラッチ制御機構の基準特性として決定し、記憶部５８に記憶する。最小トルクと最大トルクの２点で摩擦クラッチ伝達トルク特性の基準合わせを行い、モータ回転位置と推定トルクとの関数である推定トルク特性曲線をクラッチ制御機構の基準特性として決定することにより、推定トルク特性曲線の個体バラツキを補正することができる。これにより、クラッチ制御機構の特性にバラツキがあっても、クラッチ制御機構の特性を全ての領域において予め求めておかなくても、各部品の加工精度や組立精度を向上させることによるクラッチ制御機構の製造コストを高騰させることはない。
【００３５】
それに加えて、クラッチ制御機構の特性のデータ取りに手間や時間等をかける必要もない。特性曲線上において高トルク領域側の精度が高められる。トルクオーバーが小さくなり、四輪駆動車の前後駆動力配分に適用した場合でも、駆動伝達系全体の剛性や強度を大きくして設計する必要がなくなり、小型軽量化や低コスト化を達成することが可能となる。
【００３６】
この推定トルク特性曲線においては、図６に示すように、グラフ上にプロットしたＡ点は、モータ２５の回転変位がゼロの状態となる初期位置（２ＷＤモード位置）を示し、Ａ点−Ｂ点の間は、モータ出力軸の回転変位が増大しても、推定伝達トルクはゼロのままの状態である動作制限領域となる。この動作制限領域では、クラッチ押付部材２０の移動に伴いリターンスプリング２３が圧縮されていくので次第にアクチュエータ負荷トルクが増大するが、摩擦クラッチ１９のクラッチプレート同士に隙間があり、トルクを伝達していない。Ｂ点は推定トルクの最小トルク位置を示し、Ｃ点は推定トルクの最大トルク位置を示している。Ｂ点−Ｃ点の間は、推定トルク制御領域となる。
【００３７】
目標トルク演算部５２の目標トルクと推定トルク演算部５４の推定トルクとの偏差がゼロとなるようにフィードバック制御が行われ、モータ２５が回転駆動される。図６に示すグラフ上のＡ点である２ＷＤモード位置においては、モータ出力軸の回転変位をゼロ位置に固定して摩擦クラッチ１９がフリーとなるように設定される。
【００３８】
図６に示すグラフ上のＢ点である推定トルクの最小トルク位置は、クラッチ押付部材２０が摩擦クラッチ１９のクラッチプレートに当接する４ＷＤモード開始位置（以下、４ＷＤフルタイムモードの原点ともいう。）となるように設定されている。Ｂ点−Ｃ点の間である推定トルク制御領域は、４ＷＤオートモード（以下、４ＷＤフルタイムモードともいう。）位置であり、車両状態に応じて摩擦クラッチ１９の締結力が変化するように設定されている。Ｃ点である推定トルクの最大トルク位置は、４ＷＤロックモード位置であり、クラッチ押付部材２０が摩擦クラッチ１９を押し付けているときの摩擦クラッチ１９の締結力が最大となるように設定されている。
【００３９】
（モータの下限回転位置の制限処理）
ところで、モータ２５が、図６に示す動作制限領域（グラフ上のＡ点−Ｂ点）上を回転変位しているときは、クラッチ締結解除（フリー）状態となっているので、伝達トルクはゼロのままの状態であり、制御上ではモータ回転位置が定まらず、２ＷＤモード位置（グラフ上のＡ点）まで逆戻りしてしまう場合がある。このような場合において目標トルクが上昇すると、モータ出力軸は、グラフ上の全領域Ａ点−Ｂ点−Ｃ点のうち、動作制限領域（グラフ上のＡ点−Ｂ点）の最も長い距離を回転変位しなければならず、クラッチ締結解除状態からクラッチ締結状態へ移る際の応答時間がかかり、トルク伝達の応答性が悪化する。
【００４０】
これを防止するための対策としては、例えばエンコーダのパルスカウンタ値に基づいて、モータ２５の回転変位がゼロの状態となる初期位置（グラフ上のＡ点）を基準位置として、その初期位置からモータ回転位置（グラフ上の全領域Ａ点−Ｂ点−Ｃ点）までのパルスカウンタ数を求めておくことが好適である。従って、パルスカウンタ数が４ＷＤフルタイムモード（Ｂ点−Ｃ点）の領域に一致したときに４ＷＤフルタイムモードの原点（グラフ上のＢ点）から２ＷＤ側（グラフ上のＡ点−Ｂ点側）へ逆戻りしないように制御することで、トルク伝達の応答性の悪化を回避することができる。
【００４１】
（モータの上限回転位置の制限処理）
一方、制御のオーバーシュートにより推定トルクの最大トルク位置（グラフ上のＣ点）を超えてしまう場合がある。これを防止するための対策としては、例えばエンコーダのパルスカウンタ値に基づいて最大トルク相当のモータ回転位置（グラフ上のＣ点）を特定しておく。推定トルク制御領域でトルク制御中に、最大トルク位置（Ｃ点）に近付く場合には、例えば最大トルク位置を超えないように電流を制御することで、モータ２５にブレーキトルクを発生させることが好適である。これにより、過大な伝達トルクの発生を防止することができる。
【００４２】
（モータ駆動制御手段の構成）
ＥＣＵ４０には、図７に示すように、電流出力部５８として、モータ駆動回路５９や電流検出回路６０を備えた図示しない制御基板が組み込まれている。このモータ駆動回路５９では、ブリッジ形態で接続された４つのＦＥＴ（電界効果トランジスタ）６１〜６４のオンオフ切替えによりモータ２５が正逆方向に回転駆動される。
【００４３】
直列接続された２つのＦＥＴ６１とＦＥＴ６２の間にはモータ２５の一側が電気的に接続されている。直列接続された２つのＦＥＴ６３とＦＥＴ６４の間にはモータ２５の他側が電気的に接続されている。４つのＦＥＴ６１〜６４はＥＣＵ４０の電流出力部５７に電気的に接続されている。この電流出力部５７からの入力信号によりＦＥＴ６１，６４をオフし、ＦＥＴ６２，６３をオンすることで、モータ２５に図７に矢印で示す方向に電流が流れるようになっている。一方、ＦＥＴ６１，６４をオンし、ＦＥＴ６２，６３をオフすることで、モータ２５に図７に矢印で示す方向とは逆方向に電流が流れるようになっている。
【００４４】
モータ駆動回路５９には、図７に示すように、モータ２５への通電電流値を検出する検出用の抵抗６５が設けられている。この抵抗６５の出力が電流検出回路６０を介してＣＰＵ６６に電気的に接続されている。抵抗６５に発生する電圧は電流検出回路６０に入力される。入力された電圧は、電流検出回路６０で増幅され、ＣＰＵ６６に入力される。ＣＰＵ６６は、Ａ／Ｄ変換してデジタル値として読み込むことでモータ電流を検出する。
【００４５】
（モータ制御手段のキャリブレーション処理）
ところで、抵抗６５及び電流検出回路６０には部品精度のバラツキがあるため、そのモータ電流の検出値には誤差が発生する。この誤差を小さく抑えるのには、部品精度を高める必要があるが、製造コストが高くなるので好ましくない。
【００４６】
この実施の形態に係る典型的な一例としては、例えば製造過程において実際に所定の電流をモータ駆動回路５９に流し、電流検出回路６０の出力のキャリブレーション（以下、キャリともいう。）を行うことが好適である。ＣＰＵ６６では、電流検出回路６０の電流検出値をキャリブレーション値として記憶部６７に記憶する。このキャリブレーション値に基づいて、ＣＰＵ６６では、下記の式（１）を用いた演算が行われ、モータ駆動回路５９に流れる電流を認識する。これにより、抵抗６５及び電流検出回路６０の部品精度のバラツキを低減させることができる。
電流＝検出電圧×キャリ電流／キャリ検出電圧  ……（１）
【００４７】
（モータのキャリブレーション処理）
モータ２５は、種類が同じであっても、個々について品質バラツキがあり、特性が異なることがある。そのようなモータ２５の個体差の影響により、モータ電流に対する誘起トルクにバラツキが発生すると、モータ２５の制御精度がばらつくという問題がある。
【００４８】
この実施の形態に係る典型的な一例としては、例えばモータ製造時において所定の電流及びその電流に対する誘起トルク等のモータ固有の特性値を測定し、そのバラツキを所定範囲に層別使用するための層別区分に従ってモータ２５をバラツキの所定範囲毎にグループ化することが好適である。そして、グループ化したモータ個体毎の層別ランクをＣＰＵ６６に認識させる。ＣＰＵ６６では、モータ個体毎の電流と誘起トルクとをキャリブレーション値として記憶部６７に記憶する。従って、モータ２５の層別ランクに従った制御を行うことで、モータ電流及びその電流に対する誘起トルクのバラツキの影響を小さく抑えることができる。
【００４９】
モータ個体毎のモータ固有の特性値に応じたランクに応じて層別ランクをＣＰＵ６６に認識させる手段の一例としては、次の（１）〜（３）などが挙げられる。
（１）制御基板上に層別ランク識別用のディップスイッチを設け、モータ表面に層別ランク識別用の記号等の情報を印刷する。この情報によりモータランクに従った設定を行う。
（２）層別ランク識別用のジャンパースイッチを同梱する。ＣＰＵ６６に層別ランク識別用のジャンパースイッチをセットすることで、モータランクに従った設定を行う。
（３）モータ２５のコネクタ部に層別ランク識別用のディップスイッチを設け、モータランクに応じた接続状態とする。ＣＰＵ６６と接続する側のコネクタをモータ２５に接続することで、モータランクが認識できる。
【００５０】
（モータ及び制御手段のキャリブレーション処理）
モータ単体のキャリブレーションでは、モータ個体毎の層別ランク分けしかできず、層別ランク内のバラツキが残る。この実施の形態に係る典型的な一例としては、例えば製造時においてモータ２５とＣＰＵ６６とを組み合わせた状態で、実際に所定の電流をモータ駆動回路５９に流すことで、モータ電流に対する誘起トルクを測定することが好適である。ＣＰＵ６６では、電流検出回路６０の電流検出値とモータ誘起トルクとをキャリブレーション値として記憶部６７に記憶する。
【００５１】
このキャリブレーション値に基づいて、ＣＰＵ６６では、上記式（１）及び下記式（２）を用いた演算が行われ、電流及びモータ誘起トルクを認識する。モータ２５とＣＰＵ６６とを２個一組としてキャリブレーションしたので、モータ２５及びＣＰＵ６６の部品毎に調整を行う必要がなくなり、バラツキの影響を小さく抑えることができる。下記式（２）において、キャリ誘起トルク／キャリ電流はモータトルク定数である。
モータ誘起トルク＝電流×キャリ誘起トルク／キャリ電流  ……（２）
【００５２】
なお、ＥＣＵ４０の各構成要素は、ＣＰＵ、メモリ、各構成要素を実現する制御プログラム、制御プログラムを格納する記憶ユニット、外部接続用インターフェースを中心にハードウェアとソフトウェアの任意の組合せによって実現されるものである。その方法や装置としては、従来周知の各種の方法や装置を使用することができることは当業者には理解されるところであり、上記実施の形態、及び図示例に特定されるものではない。
【００５３】
（実施の形態の効果）
以上のように構成された実施の形態に係るクラッチ制御装置によると、以下の効果が得られる。
（１）最小トルクと最大トルクの２点で摩擦クラッチ伝達トルク特性の基準合わせを行うため、摩擦クラッチ押付系の剛性バラツキの影響を低減することができるとともに、剛性バラツキに関係する部品の精度を高くする必要がなくなり、製造コストを低減することができる。
（２）高トルク領域でも、伝達トルク誤差を小さくすることができ、４ＷＤ車に適用した場合には駆動伝達系の強度及び剛性を必要以上に高める必要がなくなり、小型軽量化や低コスト化を達成することができる。
【００５４】
［他の実施の形態］
上記実施の形態では、アクチュエータ２４のモータ出力軸の変位を検出する構成を例示したが、本発明はこれに限定されるものではなく、例えば第１カムプレート２８の変位を検出するようにしてもよく、減速機２６の出力軸２６ａの回転位置を検出してもよい。モータ２５の回転運動を直線運動に変換する運動変換機構１７としては、例えばボールネジ等であってもよい。
【００５５】
上記実施の形態では、前輪のみ、あるいは後輪のみを駆動する２ＷＤモード、車両状態に応じて前後輪間の駆動力を自動制御する４ＷＤオートモード、及び最大駆動力に保持する４ＷＤロックモードの３つのモードに切り換えられる構成を例示したが、本発明はこれに限定されるものではなく、例えば少なくとも４ＷＤオートモードを備えた構成、あるいは４ＷＤオートモードと４ＷＤロックモードの２つのモードに切り換えられる構成のものにも適用が可能である。
【００５６】
上記実施の形態では、ＦＲタイプの４ＷＤ車における前後輪間の駆動力を制御する構成を例示したが、本発明はこれに限定されるものではない。本発明は、例えばＦＲタイプの４ＷＤ車における左右前輪間、あるいは左右後輪間の駆動力を制御する構成のもの、ＦＦタイプの４ＷＤ車における前後輪間、左右前輪間、あるいは左右後輪間の駆動力を制御する構成のものにも適用することができる。
【００５７】
上記実施の形態では、トランスファに本発明のクラッチ制御装置を適用した場合について説明したが、本発明は、これに限定されるものではないことは勿論であり、例えばデファレンシャルなどの各種の駆動伝達経路上に本発明のクラッチ制御装置を効果的に使用することができる。
【００５８】
以上の説明から明らかなように、本発明は、上記実施の形態、及び図示例に限定されるものではなく、各請求項に記載した範囲内で様々に設計変更が可能である。本発明は、例えば入力側と出力側の間でトルクを伝達する各種の装置に使用することができることは勿論であり、例えば農業機械、建設土木機械、運搬機械等の作業用車両、不整地用四輪走行車（ＡＴＶ）、鉄道等の各種の車両、各種の産業機械や工作機械等にも適用可能であり、本発明の初期の目的を十分に達成することができる。
【符号の説明】
【００５９】
１                四輪駆動車
２                エンジン
３                トランスミッション
４                センタードライブシャフト
５                トランスファ
６                フロントドライブシャフト
７                リヤドライブシャフト
８                フロントデファレンシャル
９                前輪
１０              リヤデファレンシャル
１１              後輪
１２              後輪用出力軸
１３              ケース
１４              ボールベアリング
１５              スプロケット
１６              チェーンベルト
１７              運動変換機構
１８              クラッチ機構
１９              摩擦クラッチ
２０              クラッチ押付部材
２１              クラッチドラム
２２              クラッチハブ
２３              リターンスプリング
２４              アクチュエータ
２５              モータ
２６              減速機
２６ａ            出力軸
２７              ピニオンギヤ
２８              第１カムプレート
２８ａ，２９ａ    ボールカム溝
２９              第２カムプレート
３０              ボール
３１，３３        スラスト軸受
３２              固定部材
４０              ＥＣＵ
４１              舵角センサ
４２              操作スイッチ
４３              車速センサ
４４              加速度センサ
４５              前輪回転センサ
４６              後輪回転センサ
４７              スロットルセンサ
４８              エンジン回転センサ
４９              パルスセンサ
５０              モード入力部
５１              車両状態入力部
５２              目標トルク演算部
５３              変位入力部
５４              推定トルク演算部
５５              加減算部
５６              ＰＩＤ制御部
５７              電流出力部
５８，６７        記憶部
５９              モータ駆動回路
６０              電流検出回路
６１〜６４        ＦＥＴ
６５              抵抗
６６              ＣＰＵ
【図１】
2011089610.tif 000003
【図２】
2011089610.tif 000004
【図３】
2011089610.tif 000005
【図４】
2011089610.tif 000006
【図５】
2011089610.tif 000007
【図６】
2011089610.tif 000008
【図７】
2011089610.tif 000009